(57)【要約】【課題】出力端子対から内部に電圧が入力されることを防止することができる変圧装置の提供。【解決手段】ＤＣＤＣコンバータ２０は、入力端子Ｔ１，Ｔ２間に印加された電圧を目標電圧に変圧し、目標電圧を出力端子Ｔ３，Ｔ４から出力する。電圧検出部２５はＤＣＤＣコンバータ２０が出力する電圧を検出する。制御部２４は、ＤＣＤＣコンバータ２０が変圧を開始するに先立って、ＤＣＤＣコンバータ２０と出力端子Ｔ３との間に接続されているスイッチ２１をオフにする。制御部２４は、電圧検出部２５が検出した電圧が目標電圧に到達した場合にスイッチ２１をオンにする。【選択図】図２
2015154613.tif 000002
【特許請求の範囲】
【請求項１】
入力端子対間に印加された電圧を目標電圧に変圧し、該目標電圧を出力端子対から出力する変圧回路を備える変圧装置において、
前記変圧回路が出力する電圧を検出する電圧検出手段と、
前記変圧回路と前記出力端子対中の一方との間に接続されているスイッチと、
前記変圧回路が変圧を開始するに先立って前記スイッチをオフにするオフ手段と、
前記電圧検出手段が検出した電圧が前記目標電圧に到達した場合に前記スイッチをオンにするオン手段と
を備えることを特徴とする変圧装置。
【請求項２】
前記目標電圧を変更する変更手段と、
該変更手段が前記目標電圧を変更する場合に前記スイッチをオフにする第２のオフ手段と、
前記電圧検出手段が検出した電圧が、前記変更手段によって変更された前記目標電圧に到達した場合に前記スイッチをオンにする第２のオン手段と
を備えることを特徴とする請求項１に記載の変圧装置。
【請求項３】
前記変圧回路が電圧を出力する一対の出力端中の一方に、その一端が接続してある第２のスイッチと、
該第２のスイッチの他端及び前記一対の出力端中の他方間に接続されているコンデンサと、
前記変圧回路が前記出力端子対へ電圧を出力しているか否かを判定する判定手段と、
前記変圧回路が変圧を開始する場合に前記第２のスイッチをオンにする第３のオン手段と、
前記オン手段が前記スイッチをオンにした後、前記判定手段が前記変圧回路から前記出力端子対へ電圧を出力していると判定した場合に前記第２のスイッチをオフにする第３のオフ手段と
を備えることを特徴とする請求項１又は請求項２に記載の変圧装置。
【請求項４】
前記変更手段が前記目標電圧を変更する場合に前記第２のスイッチをオンにする第４のオン手段と、
前記第２のオン手段が前記スイッチをオンにした後、前記判定手段が前記変圧回路から前記出力端子対へ電圧を出力していると判定した場合に前記第２のスイッチをオフにする第４のオフ手段と
を備えることを特徴とする請求項３に記載の変圧装置。
【発明の詳細な説明】
【技術分野】
【０００１】
本発明は、入力端子対間に印加された電圧を変圧し、変圧した電圧を出力端子対から出力する変圧装置に関する。
【背景技術】
【０００２】
現在、多くの車両には、車両が減速する場合に運動エネルギーを交流の回生電力に変換し、変換した交流の回生電力を直流の回生電力に整流する発電機が搭載されている。この発電機は、整流した直流の回生電力に係る直流電圧を出力電圧として蓄電器に印加し、蓄電器を充電する。
【０００３】
以上のように、発電機が発生した回生電力を蓄電器に充電する電源システムとして、入力端子対間に印加された発電機の出力電圧を変圧し、変圧した電圧を出力端子対から蓄電器に印加する変圧装置を備える電源システムがある。このような変圧装置では、入力端子対間の電圧が出力端子対間の電圧よりも低い状態で変圧を開始する可能性がある。この場合、変圧装置内部において、発電機が蓄電器を充電しているときに流れる電流の向きとは逆方向に電流が流れ、蓄電器の出力電圧が入力端子対から発電機に向けて出力される虞がある。
【０００４】
この電流の逆流を防止する変圧装置が特許文献１に開示されている。この変圧装置は発電機の出力電圧を変圧する変圧回路を備え、入力端子対中の一方と変圧回路との間にスイッチが接続されており、スイッチの両端間にダイオードが接続されている。このダイオードは、発電機が蓄電器を充電している場合に順方向の電流が流れるように接続されている。
【０００５】
特許文献１に記載の変圧装置では、スイッチをオフにした状態で変圧を開始する。このとき、ダイオードによって、電流の逆流が防止され、蓄電器は発電機によって適正に充電される。装置内部において、発電機が蓄電器を充電している場合に流れるべき方向に電流が安定して流れ続けた場合にスイッチをオンにする。これにより、ダイオードでの電圧降下によって生じる消費電力を削減している。
【先行技術文献】
【特許文献】
【０００６】
【特許文献１】特開２０１０−２２０７７号公報
【発明の概要】
【発明が解決しようとする課題】
【０００７】
しかしながら、特許文献１に記載の変圧装置では、変圧を開始する場合、出力端子対から蓄電器へ出力する電圧を徐々に上昇させる。このため、特許文献１に記載の変圧装置では、変圧を開始する時点で、出力端子対間の電圧が蓄電器の出力電圧よりも低い可能性がある。この場合、出力端子対から装置内部に蓄電器の出力電圧が入力され、蓄電器が蓄えた電力が無駄に消費されるという問題がある。
【０００８】
本発明は斯かる事情に鑑みてなされたものであり、その目的とするところは、出力端子対から内部に電圧が入力されることを防止することができる変圧装置を提供することにある。
【課題を解決するための手段】
【０００９】
本発明に係る変圧装置は、入力端子対間に印加された電圧を目標電圧に変圧し、該目標電圧を出力端子対から出力する変圧回路を備える変圧装置において、前記変圧回路が出力する電圧を検出する電圧検出手段と、前記変圧回路と前記出力端子対中の一方との間に接続されているスイッチと、前記変圧回路が変圧を開始するに先立って前記スイッチをオフにするオフ手段と、前記電圧検出手段が検出した電圧が前記目標電圧に到達した場合に前記スイッチをオンにするオン手段とを備えることを特徴とする。
【００１０】
本発明にあっては、変圧回路と出力端子対中の一方との間にスイッチが接続されており、変圧回路は、入力端子対間に印加された電圧を目標電圧に変圧し、該目標電圧を出力端子対から出力する。変圧回路が変圧を開始するに先立ってスイッチをオフにする。変圧回路から出力する電圧を検出している。検出した電圧が目標電圧に到達した場合、スイッチをオンにし、出力端子対から目標電圧を、例えば出力端子対間に接続している蓄電器に出力する。
【００１１】
従って、変圧回路の出力電圧が、蓄電器の出力電圧以上である目標電圧に到達するまで、スイッチはオフにされているため、出力端子対から内部に電圧が入力されることが防止される。そして、出力端子対間に蓄電器が接続されている場合には、蓄電器が蓄えた電力の無駄な消費が防止される。
【００１２】
本発明に係る変圧装置は、前記目標電圧を変更する変更手段と、該変更手段が前記目標電圧を変更する場合に前記スイッチをオフにする第２のオフ手段と、前記電圧検出手段が検出した電圧が、前記変更手段によって変更された前記目標電圧に到達した場合に前記スイッチをオンにする第２のオン手段とを備えることを特徴とする。
【００１３】
本発明にあっては、変圧回路が変圧を行っている状態で目標電圧を、例えば、現在設定されている電圧よりも高い電圧に変更する場合、スイッチをオフにする。そして、変圧回路が出力している電圧が変更後の目標電圧になって、検出した電圧が、変更後の目標電圧に到達した場合にスイッチをオンにする。これにより、安定した電圧が出力端子対から出力される。
【００１４】
本発明に係る変圧装置は、前記変圧回路が電圧を出力する一対の出力端中の一方に、その一端が接続してある第２のスイッチと、該第２のスイッチの他端及び前記一対の出力端中の他方間に接続されているコンデンサと、前記変圧回路が前記出力端子対へ電圧を出力しているか否かを判定する判定手段と、前記変圧回路が変圧を開始する場合に前記第２のスイッチをオンにする第３のオン手段と、前記オン手段が前記スイッチをオンにした後、前記判定手段が前記変圧回路から前記出力端子対へ電圧を出力していると判定した場合に前記第２のスイッチをオフにする第３のオフ手段とを備えることを特徴とする。
【００１５】
本発明にあっては、第２のスイッチの一端は、変圧回路が電圧を出力する一対の出力端中の一方に接続され、コンデンサは、第２のスイッチの他端と、一対の出力端中の他方との間に接続されている。変圧回路が変圧を開始する場合、第２のスイッチをオンにする。従って、変圧回路が変圧を開始すると共にコンデンサは充電される。
目標電圧を出力端子対から出力するためにスイッチをオンにした場合、出力端子対から、例えば出力電圧が出力端子間の電圧よりも低い蓄電器へ電圧が出力される。このとき、電流が変圧回路からだけではなく、コンデンサからも蓄電器へ流れるので、スイッチがオンになった場合における出力端子対間の電圧の低下が抑制される。
【００１６】
スイッチをオンにした後、変圧回路から出力端子対へ電圧を出力していると判定した場合、第２のスイッチをオフにする。これにより、コンデンサが蓄えた電力の無駄な消費が防止される。
【００１７】
本発明に係る変圧装置は、前記変更手段が前記目標電圧を変更する場合に前記第２のスイッチをオンにする第４のオン手段と、前記第２のオン手段が前記スイッチをオンにした後、前記判定手段が前記変圧回路から前記出力端子対へ電圧を出力していると判定した場合に前記第２のスイッチをオフにする第４のオフ手段とを備えることを特徴とする。
【００１８】
本発明にあっては、目標電圧を変更する場合、第２のスイッチをオンにする。その後、スイッチをオンにした場合において、蓄電器の出力電圧が出力端子対間の電圧よりも低いとき、電流が変圧回路からだけではなく、コンデンサからも蓄電器へ流れる。このため、スイッチがオンになった場合における出力端子対間の電圧の低下が抑制される。
スイッチをオンにした後、変圧回路から出力端子対へ電圧を出力していると判定した場合、第２のスイッチをオフにする。これにより、コンデンサが蓄えた電力の無駄な消費が防止される。
【発明の効果】
【００１９】
本発明によれば、出力端子対から内部に電圧が入力されることを防止することができる。
【図面の簡単な説明】
【００２０】
【図１】実施の形態１における電源システムの要部構成を示すブロック図である。
【図２】変圧装置の回路図である。
【図３】変圧装置の動作を説明するためのタイミングチャートである。
【図４】実施の形態２における変圧装置の回路図である。
【図５】実施の形態３における変圧装置の回路図である。
【発明を実施するための形態】
【００２１】
以下、本発明をその実施の形態を示す図面に基づいて詳述する。
（実施の形態１）
図１は実施の形態１における電源システムの要部構成を示すブロック図である。この電源システム１は、車両に好適に搭載されており、変圧装置１０、発電機１１、第１蓄電器１２、負荷１３及び第２蓄電器１４を備える。変圧装置１０は入力端子Ｔ１，Ｔ２及び出力端子Ｔ３，Ｔ４を有する。
入力端子Ｔ１，Ｔ２を入力端子対として機能し、出力端子Ｔ３，Ｔ４は出力端子対として機能する。
【００２２】
変圧装置１０について、入力端子Ｔ１は、発電機１１の一端、第１蓄電器１２の正極及び負荷１３の一端に接続され、入力端子Ｔ２は、発電機１１の他端、第１蓄電器１２の負極及び負荷１３の他端に接続されている。更に、変圧装置１０について、出力端子Ｔ３は第２蓄電器１４の正極に接続され、出力端子Ｔ４は第２蓄電器１４の負極に接続されている。
【００２３】
発電機１１は、車両が減速する場合に、車両の運動エネルギーを交流の回生電力に変換し、変換した交流の回生電力を直流の回生電力に整流する。発電機１１は、整流した回生電力に係る直流電圧を、出力電圧として、第１蓄電器１２と、負荷１３と、変圧装置１０の入力端子Ｔ１，Ｔ２間とに印加する。
【００２４】
第１蓄電器１２は例えば鉛蓄電池である。発電機１１の出力電圧は第１蓄電器１２の出力電圧よりも高い。このため、発電機１１が発電している場合、第１蓄電器１２には発電機１１の出力電圧が印加され、第１蓄電器１２は発電機１１が発生させた電力を蓄える。発電機１１が発電を停止している場合、第１蓄電器１２の出力電圧が負荷１３と、入力端子Ｔ１，Ｔ２間とに印加される。
負荷１３は、車両に搭載されるワイパー又はライト等の電気機器である。負荷１３は、発電機１１又は第１蓄電器１２の出力電圧が印加された場合に給電される。
【００２５】
変圧装置１０は、入力端子Ｔ１，Ｔ２間に印加された電圧、即ち、発電機１１又は第１蓄電器１２の出力電圧を目標電圧に降圧（変圧）し、目標電圧を出力端子Ｔ３，Ｔ４から第２蓄電器１４に印加する。
第２蓄電器１４は電気二重層キャパシタ又はリチウムイオン電池等である。第２蓄電器１４には、変圧装置１０が出力端子Ｔ３，Ｔ４から出力した電圧が印加され、第２蓄電器１４は充電される。例えば、第２蓄電器１４に並列に図示しない負荷が接続されている場合、第２蓄電器１４が蓄えている電力は前記負荷に供給される。
【００２６】
変圧装置１０には、第２蓄電器１４への充電を指示する充電指示と、第２蓄電器１４への充電の停止を指示する停止指示と、目標電圧の変更を指示する電圧変更指示とが入力される。
【００２７】
充電指示は、例えば、発電機１１が回生電力を発生することが可能である場合に、図示しない外部装置から変圧装置１０に入力される。外部装置は、回生電力を発生することが可能であるか否かを、電源システム１が搭載されている車両の図示しないアクセルペダル及びブレーキペダル夫々の踏み込み量、並びに、車速等に基づいて判断する。外部装置は、例えば、アクセルペダルが踏み込まれておらず、かつ、ブレーキペダルが踏み込まれている状態で車速が低下している場合に回生電力をことが可能であると判断する。
【００２８】
停止指示は、車両のイグニッションスイッチがオフになった場合、車両が加速している場合又は第２蓄電器１４が満充電ある場合等に外部装置から変圧装置１０に入力される。
電圧変更指示は、例えば、急速に第２蓄電器１４を充電する場合において、目標電圧を現在設定されている電圧よりも高い電圧に変更するために、外部装置から変圧装置１０に入力される。
【００２９】
変圧装置１０は、充電指示が入力された場合、入力端子Ｔ１，Ｔ２間に印加された電圧を目標電圧に変圧し、目標電圧を出力端子Ｔ３，Ｔ４から出力する。また、変圧装置１０は、停止指示が入力された場合、変圧を停止する。更に、変圧装置１０は、電圧変更指示が入力された場合、目標電圧を変更する。
【００３０】
図２は変圧装置１０の回路図である。変圧装置１０は、入力端子Ｔ１，Ｔ２及び出力端子Ｔ３，Ｔ４に加えて、ＤＣＤＣコンバータ２０、スイッチ２１，２２、コンパレータ２３、制御部２４、電圧検出部２５、タイマ２６、コンデンサＣ１及び抵抗Ｒ１を有する。ＤＣＤＣコンバータ２０は一対の入力端と、一対の出力端とを有する。
【００３１】
ＤＣＤＣコンバータ２０について、一対の入力端夫々に入力端子Ｔ１，Ｔ２が接続され、電圧が出力される一対の出力端の一方には、スイッチ２１，２２夫々の一方が接続されている。スイッチ２２の他端と、ＤＣＤＣコンバータ２０における一対の出力端の他方との間にはコンデンサＣ１が接続されている。スイッチ２２は第２のスイッチとして機能する。
【００３２】
ＤＣＤＣコンバータ２０における一対の出力端の他方は、更に出力端子Ｔ４に接続されている。スイッチ２１の他端は抵抗Ｒ１の一端とコンパレータ２３のプラス端子とに接続され、抵抗Ｒ１の他端とコンパレータ２３のマイナス端子とは出力端子Ｔ３に接続されている。このように、スイッチ２１は、ＤＣＤＣコンバータ２０と、出力端子Ｔ３との間に接続されている。
【００３３】
ＤＣＤＣコンバータ２０が有する一対の出力端には、電圧検出部２５が各別に接続されている。制御部２４は、ＤＣＤＣコンバータ２０、コンパレータ２３の出力端子、電圧検出部２５及びタイマ２６に各別に接続されている。
【００３４】
ＤＣＤＣコンバータ２０は、スイッチ３０，３１、コンデンサＣ２及びコイルＬ１を有する。スイッチ３０の一端は、入力端子Ｔ１に接続され、スイッチ３０の他端は、スイッチ３１及びコイルＬ１夫々の一端に接続されている。コイルＬ１の他端は、スイッチ２１，２２及びコンデンサＣ２夫々の一端に接続されている。スイッチ３１及びコンデンサＣ２夫々の他端は入力端子Ｔ２及び出力端子Ｔ４に接続されている。コンデンサＣ２の一端及び他端は電圧検出部２５に各別に接続されている。
スイッチ２１，２２，３０，３１夫々はＦＥＴ（Field Effect Transistor）、バイポーラトランジスタ又はリレー接点等であり、制御部２４によってオン／オフされる。
【００３５】
ＤＣＤＣコンバータ２０は、制御部２４がスイッチ３０，３１の相補的なオン／オフを周期的に繰り返すことによって、入力端子Ｔ１，Ｔ２間に印加された電圧を目標電圧に降圧（変圧）する。ＤＣＤＣコンバータ２０は、スイッチ２１がオンである場合、目標電圧を出力端子Ｔ３，Ｔ４から第２蓄電器１４に向けて出力する。ＤＣＤＣコンバータ２０は変圧回路として機能する。
【００３６】
制御部２４は、スイッチ３０がオンである場合にスイッチ３１をオフにし、スイッチ３０がオフである場合にスイッチ３１をオンにすることによって、スイッチ３０，３１を相補的にオン／オフする。
制御部２４がスイッチ３０，３１をオン及びオフにした場合、多量の電流が入力端子Ｔ１からスイッチ３０を介してコイルＬ１に流れようとする。このとき、コイルＬ１は自身に流れる電流の量を維持するように作用するため、コイルＬ１に流れる電流の量は徐々に増加する。コイルＬ１に流れる電流の量が徐々に増加している間、入力端子Ｔ１，Ｔ２間に印加されている電圧から、コイルＬ１に流れる電流の量の傾きの大／小によって高／低に決まる電圧を引いた第１電圧がコンデンサＣ２の両端間に印加される。
【００３７】
スイッチ３０，３１がオン及びオフである状態から、制御部２４がスイッチ３０，３１をオフ及びオンにした場合、入力端子Ｔ１からコイルＬ１への電流の供給が停止する。このとき、コイルＬ１は自身に流れている電流の量を維持するように作用するため、コイルＬ１に流れる電流の量は徐々に低下し、コイルＬ１に流れる電流の量の傾きの大／小によって高／低に決まる第２電圧がコンデンサＣ２の両端間に印加される。第２電圧は、第１電圧よりも低い電圧である。
【００３８】
コンデンサＣ２は１周期間中にコイルＬ１を介して印加されている電圧の平均電圧を、ＤＣＤＣコンバータ２０の出力電圧として出力する。従って、制御部２４がスイッチ３０，３１をオン及びオフにして第１電圧がコンデンサＣ２の両端間に印加している期間が長ければ長い程、言い換えると、制御部２４がスイッチ３０，３１をオフ及びオンにして第２電圧がコンデンサＣ２の両端間に印加している期間が短ければ短い程、ＤＣＤＣコンバータ２０の出力電圧は高い。制御部２４は、１周期中にスイッチ３０，３１夫々がオンとなっている期間の割合、所謂デューティを調整することによってＤＣＤＣコンバータ２０が出力する電圧を調整する。デューティはゼロ以上１以下の数値である。前述したように、制御部２４はスイッチ３０，３１を相補的にオン／オフするので、スイッチ３１のオン／オフに係るデューティは、１からスイッチ３０のオン／オフに係るデューティを引いた値である。
【００３９】
電圧検出部２５は、ＤＣＤＣコンバータ２０が出力している電圧を検出し、検出した電圧を制御部２４に通知する。電圧検出部２５は電圧検出手段として機能する。
制御部２４は、電圧検出部２５が検出した電圧が目標電圧となるように、スイッチ３０，３１夫々のオン／オフに係るデューティを調整する。
【００４０】
抵抗Ｒ１及びコンパレータ２３は、スイッチ２１を介して流れる電流の方向を検出する方向検出器として機能する。抵抗Ｒ１において、スイッチ２１側の一端から出力端子Ｔ３側の他端に向けて、所定電流以上の電流が流れた場合、コンパレータ２３のマイナス端子の電位を基準としてコンパレータ２３のプラス端子に所定電圧以上の電圧が印加され、コンパレータ２３はハイレベルの電圧を出力端子から制御部２４に出力する。
【００４１】
また、抵抗Ｒ１において、スイッチ２１側の一端から出力端子Ｔ３側の他端に向けて、所定電流未満の電流が流れた場合、又は、出力端子Ｔ３側の他端からスイッチ２１側の一端に向けて電流が流れた場合、コンパレータ２３のマイナス端子の電位を基準としてコンパレータ２３のプラス端子に所定電圧未満の電圧が印加される。このとき、コンパレータ２３はローレベルの電圧を出力端子から制御部２４に出力する。
【００４２】
タイマ２６は、制御部２４の指示に従って、計時の開始及び終了を行う。タイマ２６が計時した時間は制御部２４によって読み込まれる。
【００４３】
制御部２４には充電指示、停止指示及び電圧変更指示が入力される。制御部２４は、入力された充電指示、停止指示及び電圧変更指示と、電圧検出部２５が検出した電圧と、タイマ２６が計時した時間とに基づいて、ＤＣＤＣコンバータ２０の動作と、スイッチ２１，２２夫々のオン／オフとを制御する。
【００４４】
図３は変圧装置１０の動作を説明するためのタイミングチャートである。図３には、ＤＣＤＣコンバータ２０及び第２蓄電器１４夫々の出力電圧の推移と、スイッチ３０，３１，２１，２２夫々のオン／オフの推移とが示されている。
以下では、変圧を停止している変圧装置１０が、充電指示の入力によって、目標電圧として電圧Ｖ１を出力し、更に、目標電圧を電圧Ｖ１から、電圧Ｖ１よりも高い電圧Ｖ２への変更を指示する電圧変更指示の入力によって、電圧Ｖ２を出力する場合における具体的な変圧装置１０の動作を説明する。
【００４５】
制御部２４は、停止指示が入力された場合、スイッチ３０，３１，２１，２２夫々をオフにし、充電指示が入力されるまで、スイッチ３０，３１，２１，２２のオフを維持している。このように、制御部２４は、第２蓄電器１４への充電を開始するためにＤＣＤＣコンバータ２０に変圧を開始するに先立ってスイッチ２１をオフにしている。制御部２４はオフ手段として機能する。
【００４６】
制御部２４は、充電指示が入力された場合、スイッチ３０，３１の相補的なオン／オフを繰り返し、ＤＣＤＣコンバータ２０は入力端子Ｔ１，Ｔ２間に印加されている電圧を降圧する。更に、制御部２４は、充電指示が入力されてＤＣＤＣコンバータ２０が降圧を開始する場合、スイッチ２２をオンにする。制御部２４は第３のオン手段としても機能する。
【００４７】
制御部２４は、スイッチ２１，２２をオフ及びオンにしている状態で、スイッチ３０，３１の相補的なオン／オフを繰り返すことによって、ＤＣＤＣコンバータ２０の出力電圧は電圧Ｖ１まで上昇する。
【００４８】
このとき、図３ではスイッチ３０がオン又はオフである期間と、スイッチ３１がオン又はオフである期間とは一定であるが、実際には、制御部２４は、電圧検出部２５が検出した電圧が電圧Ｖ１となるように、スイッチ３０，３１夫々のオン／オフに係るデューティを常時調整している。
なお、制御部２４は、ＤＣＤＣコンバータ２０の出力電圧が徐々に上昇して電圧Ｖ１となるように、スイッチ３０，３１夫々のオン／オフに係るデューティを調整してもよい。
【００４９】
ＤＣＤＣコンバータ２０の出力電圧が、ゼロボルトから、目標電圧である電圧Ｖ１まで上昇している間、スイッチ２２がオンであるため、ＤＣＤＣコンバータ２０の出力電圧はコンデンサＣ１に印加され、コンデンサＣ１は充電される。これにより、発電機１１が発生した回生電力は、コンデンサＣ１に蓄えられ、回生電力は効率的に回収される。
【００５０】
ＤＣＤＣコンバータ２０の出力電圧が、ゼロボルトから電圧Ｖ１まで上昇している間、スイッチ２１はオフであるため、第２蓄電器１４は充電されることはなく、第２蓄電器１４の出力電圧が上昇することはない。
なお、図３では、ＤＣＤＣコンバータ２０の出力電圧がゼロボルトから電圧Ｖ１まで上昇している間、第２蓄電器１４の出力電圧は一定であるが、第２蓄電器１４が給電を行っている場合、第２蓄電器１４の出力電圧は徐々に低下する。
【００５１】
電圧検出部２５が検出した電圧、即ち、ＤＣＤＣコンバータ２０の出力電圧が、目標電圧である電圧Ｖ１に到達した場合、制御部２４はスイッチ２１をオンにする。これにより、目標電圧である電圧Ｖ１が第２蓄電器１４に印加され、第２蓄電器１４の充電が開始される。
【００５２】
以上のように、ＤＣＤＣコンバータ２０の出力電圧が第２蓄電器１４の出力電圧以上である目標電圧に到達するまでスイッチ２１はオフにされているため、出力端子Ｔ３，Ｔ４から変圧装置１０の内部に第２蓄電器１４の出力電圧が入力されることを防止することができる。これにより、第２蓄電器１４が蓄えた電力の無駄な消費が防止される。
制御部２４はオン手段としても機能する。
【００５３】
制御部２４がスイッチ２１をオンにした直後、コンデンサＣ１，Ｃ２に蓄えられた電力が第２蓄電器１４に急速に供給されるため、ＤＣＤＣコンバータ２０の出力電圧は一時的に低下する。その後、制御部２４は、電圧検出部２５が検出した電圧が電圧Ｖ１になるようにスイッチ３０，３１夫々の相補的なオン／オフを繰り返しているので、ＤＣＤＣコンバータ２０の出力電圧は電圧Ｖ１に戻る。
変圧装置１０では、スイッチ２１がオンになった場合に、コンデンサＣ２からだけではなく、コンデンサＣ１からも電力が第２蓄電器１４に供給されるため、ＤＣＤＣコンバータ２０の出力電圧の低下が抑制されている。
【００５４】
スイッチ２１がオンである状態で、ＤＣＤＣコンバータ２０が電圧Ｖ１を出力している間、第２蓄電器１４は充電され、第２蓄電器１４の出力電圧は徐々に上昇する。第２蓄電器１４の出力電圧が電圧Ｖ１となった場合、第２蓄電器１４の出力電圧は一定となる。
【００５５】
制御部２４は、スイッチ２１をオンにすると共に、タイマ２６に計時を開始させる。制御部２４は、スイッチ２１をオンにした後、タイマ２６が計時している時間が所定時間以上となった場合、コンパレータ２３の出力電圧に基づいて、ＤＣＤＣコンバータ２０が出力端子Ｔ３，Ｔ４へ電圧を出力しているか否かを判定する。
【００５６】
前述したように、抵抗Ｒ１において、スイッチ２１側の一端から出力端子Ｔ３側の端子に向けて所定電流以上の電流が流れ、ＤＣＤＣコンバータ２０が出力端子Ｔ３，Ｔ４へ電圧を出力している場合、コンパレータ２３はハイレベルの電圧を出力する。制御部２４は、コンパレータ２３がハイレベルの電圧を出力している場合にＤＣＤＣコンバータ２０が出力端子Ｔ３，Ｔ４へ電圧を出力していると判定し、コンパレータ２３がローレベルの電圧を出力している場合にＤＣＤＣコンバータ２０が出力端子Ｔ３，Ｔ４へ電圧を出力していないと判定する。制御部２４は判定手段としても機能する。
【００５７】
制御部２４は、タイマ２６の計時時間が所定時間以上となった場合において、ＤＣＤＣコンバータ２０が出力端子Ｔ３，Ｔ４へ電圧を出力していると判定した場合、スイッチ２２をオフにする。これにより、コンデンサＣ１に蓄えられた電力の無駄な消費を防止することができる。制御部２４は第３のオフ手段としても機能する。
【００５８】
制御部２４は、ＤＣＤＣコンバータ２０が出力端子Ｔ３，Ｔ４へ電圧を出力していないと判定した場合、コンパレータ２３がハイレベルの電圧を出力するまで、ＤＣＤＣコンバータ２０が出力端子Ｔ３，Ｔ４へ電圧を出力しているか否かの判定を繰り返す。制御部２４は、タイマ２６の計時時間が所定時間以上であると判定した場合、タイマ２６に計時を終了させる。
【００５９】
ＤＣＤＣコンバータ２０が、目標電圧である電圧Ｖ１を出力している状態で、制御部２４に電圧変更指示が入力された場合、制御部２４は、目標電圧を電圧Ｖ１から電圧Ｖ２に変更し、ＤＣＤＣコンバータ２０の出力電圧が電圧Ｖ２となるようにスイッチ３０，３１のオン／オフに係るデューティを調整する。制御部２４は変更手段としても機能する。
制御部２４は、目標電圧を電圧Ｖ１から電圧Ｖ２に変更する場合、スイッチ２１をオフにする共に、スイッチ２２をオンにする。制御部２４は第２のオフ手段及び第４のオン手段としても機能する。
【００６０】
制御部２４は、スイッチ２１，２２をオフ及びオンにしている状態で、スイッチ３０，３１の相補的なオン／オフを繰り返すことによって、ＤＣＤＣコンバータ２０の出力電圧は電圧Ｖ１から電圧Ｖ２まで上昇する。
【００６１】
このとき、図３ではスイッチ３０がオン又はオフである期間と、スイッチ３１がオン又はオフである期間とは一定であるが、実際には、制御部２４は、電圧検出部２５が検出した電圧が電圧Ｖ２となるように、スイッチ３０，３１夫々のオン／オフに係るデューティを常時調整している。
なお、制御部２４は、ＤＣＤＣコンバータ２０の出力電圧が徐々に上昇して電圧Ｖ２となるように、スイッチ３０，３１夫々のオン／オフに係るデューティを調整してもよい。
【００６２】
ＤＣＤＣコンバータ２０の出力電圧が、電圧Ｖ１から、目標電圧である電圧Ｖ２まで上昇している間、スイッチ２２がオンであるため、ＤＣＤＣコンバータ２０の出力電圧はコンデンサＣ１に印加され、コンデンサＣ１は充電される。
【００６３】
また、ＤＣＤＣコンバータ２０の出力電圧が電圧Ｖ１から電圧Ｖ２まで上昇している間、スイッチ２１はオフであるため、第２蓄電器１４は充電されることはなく、第２蓄電器１４の出力電圧が上昇することはない。
なお、図３では、ＤＣＤＣコンバータ２０の出力電圧が電圧Ｖ１から電圧Ｖ２まで上昇している間、第２蓄電器１４の出力電圧は一定であるが、第２蓄電器１４が給電を行っている場合、第２蓄電器１４の出力電圧は徐々に低下する。
【００６４】
電圧検出部２５が検出した電圧、即ち、ＤＣＤＣコンバータ２０の出力電圧が、目標電圧である電圧Ｖ２に到達した場合、制御部２４はスイッチ２１をオンにする。これにより、目標電圧である電圧Ｖ１が第２蓄電器１４に印加され、第２蓄電器１４の充電が再開される。
以上のように、目標電圧が電圧Ｖ１から電圧Ｖ２に変更された場合において、電圧検出部２５が検出した電圧が電圧Ｖ２に到達した場合にスイッチ２１がオンとなるので、安定した電圧が出力端子Ｔ３，Ｔ４から出力される。制御部２４は第２のオン手段としても機能する。
【００６５】
制御部２４がスイッチ２１をオンにした直後、コンデンサＣ１，Ｃ２に蓄えられた電力が第２蓄電器１４に急速に供給されるため、ＤＣＤＣコンバータ２０の出力電圧は一時的に低下する。その後、制御部２４は、電圧検出部２５が検出した電圧が電圧Ｖ２になるようにスイッチ３０，３１夫々の相補的なオン／オフを繰り返しているので、ＤＣＤＣコンバータ２０の出力電圧は電圧Ｖ２に戻る。
変圧装置１０では、スイッチ２１がオンになった場合に、コンデンサＣ２からだけではなく、コンデンサＣ１からも電力が第２蓄電器１４に供給されるため、ＤＣＤＣコンバータ２０の出力電圧の低下が抑制されている。
【００６６】
スイッチ２１がオンである状態で、ＤＣＤＣコンバータ２０が電圧Ｖ２を出力している間、第２蓄電器１４は充電され、第２蓄電器１４の出力電圧は徐々に上昇する。第２蓄電器１４の出力電圧が電圧Ｖ２となった場合、第２蓄電器１４の出力電圧は一定となる。
【００６７】
制御部２４は、スイッチ２１をオンにすると共に、タイマ２６に計時を開始させる。制御部２４は、スイッチ２１をオンにした後、タイマ２６が計時している時間が第２の所定時間以上となった場合、前述したように、コンパレータ２３の出力電圧に基づいて、ＤＣＤＣコンバータ２０が出力端子Ｔ３，Ｔ４へ電圧を出力しているか否かを判定する。
【００６８】
制御部２４は、タイマ２６の計時時間が第２の所定時間以上となった場合において、ＤＣＤＣコンバータ２０が出力端子Ｔ３，Ｔ４へ電圧を出力していると判定したとき、スイッチ２２をオフにする。これにより、コンデンサＣ１に蓄えられた電力の無駄な消費を防止することができる。制御部２４は第４のオフ手段としても機能する。
【００６９】
制御部２４は、ＤＣＤＣコンバータ２０が出力端子Ｔ３，Ｔ４へ電圧を出力していないと判定したとき、コンパレータ２３がハイレベルの電圧を出力するまで、ＤＣＤＣコンバータ２０が出力端子Ｔ３，Ｔ４へ電圧を出力しているか否かの判定を繰り返す。
【００７０】
例えば、電源システム１が搭載されている車両のイグニッションスイッチがオフとなって制御部２４に停止指示が入力された場合、制御部２４はスイッチ３０，３１，２１，２２夫々をオフにする。また、第２蓄電器１４が電気二重層キャパシタ又はリチウムイオン電池等である場合において、出力電圧が高い状態で第２蓄電器１４が長期間放置されたとき、第２蓄電器１４が蓄電することが可能な電力が低下する。このため、車両のイグニッションスイッチがオフとなった場合、第２蓄電器１４の出力電圧が電圧Ｖ１未満の電圧になるまで、第２蓄電器１４が蓄えた電力が放出されるように構成されてもよい。
【００７１】
なお、目標電圧を電圧Ｖ２に設定した後、イグニッションスイッチがオフとなるまで目標電圧を電圧Ｖ２未満に設定しないようにしてもよい。一方で、目標電圧を電圧Ｖ１から、電圧Ｖ１よりも低い電圧への変更を指示する電圧変更指示が制御部２４に入力された場合に、目標電圧を電圧Ｖ１から電圧Ｖ２に変更した場合と同様に、スイッチ３０，３１，２１，２２夫々をオン／オフしてもよい。
また、ＤＣＤＣコンバータ２０は、入力端子Ｔ１，Ｔ２間に印加された電圧を降圧する回路であればよいため、制御部２４がスイッチ３０，３１夫々の相補的なオン／オフを周期的に繰り返すことによって降圧を行う回路に限定されない。ＤＣＤＣコンバータ２０は、例えば、スイッチ３１の代わりに、カソードがスイッチ３０及びコイルＬ１間の接続ノードに接続され、アノードが入力端子Ｔ２及び出力端子Ｔ４に接続されたダイオードを用いた回路であってもよい。この回路であっても、スイッチ３０のオン／オフを周期的に繰り返すことによって降圧が行われる。
【００７２】
（実施の形態２）
図４は実施の形態２における変圧装置１０の回路図である。実施の形態２は、実施の形態１と比較して、変圧装置１０が、降圧用のＤＣＤＣコンバータ２０の代わりに、昇圧用のＤＣＤＣコンバータ４０を有している点が異なる。
以下では、実施の形態２について、実施の形態１と異なる点を説明する。後述する構成を除く他の構成については、実施の形態１と同様であるため、同様の符号を付してその説明を省略する。
【００７３】
ＤＣＤＣコンバータ４０は、スイッチ３０，３１、コンデンサＣ２及びコイルＬ１を有する。コイルＬ１の一端は入力端子Ｔ１に接続され、コイルＬ１の他端はスイッチ３０，３１夫々の一端に接続されている。スイッチ３１の他端はスイッチ２１，２２及びコンデンサＣ２夫々の一端に接続されている。スイッチ３０及びコンデンサＣ２夫々の他端は入力端子Ｔ２及び出力端子Ｔ４に接続されている。コンデンサＣ２の一端及び他端は電圧検出部２５に各別に接続されている。
【００７４】
スイッチ３０，３１夫々は、実施の形態１と同様に、ＦＥＴ、バイポーラトランジスタ又はリレー接点等であり、制御部２４によってオン／オフされる。
ＤＣＤＣコンバータ４０は、制御部２４がスイッチ３０，３１の相補的なオン／オフを周期的に繰り返すことによって、入力端子Ｔ１，Ｔ２間に印加された電圧を目標電圧に昇圧（変圧）する。ＤＣＤＣコンバータ４０は、スイッチ２１がオンである場合、目標電圧を出力端子Ｔ３，Ｔ４から第２蓄電器１４に向けて出力する。実施の形態２において、ＤＣＤＣコンバータ４０は変圧回路として機能する。
【００７５】
制御部２４がスイッチ３０，３１をオン及びオフにした場合、多量の電流が入力端子Ｔ１からコイルＬ１、スイッチ３０及び入力端子Ｔ２の順に流れる。スイッチ３０，３１がオン及びオフである間、コンデンサＣ２が蓄えている電力が出力端子Ｔ３，Ｔ４に向けて放出される。
【００７６】
スイッチ３０，３１がオン及びオフである状態から、制御部２４がスイッチ３０，３１をオフ及びオンにした場合、入力端子Ｔ１からコイルＬ１及びスイッチ３１を介して電流が流れる。このとき、コイルＬ１は自身に流れる電流の量を維持するように作用するため、コイルＬ１に流れる電流の量は徐々に低下し、入力端子Ｔ１，Ｔ２間に印加された電圧に、コイルＬ１に流れる電流の量の傾きの大／小によって高／低に決まる電圧を加算した第３電圧がコンデンサＣ２の両端間に印加される。
【００７７】
コンデンサＣ２は１周期中にコイルＬ１を介して印加されている電圧の平均電圧を、ＤＣＤＣコンバータ４０の出力電圧として出力する。制御部２４がスイッチ３０，３１をオン及びオフにして多量の電流をコイルＬ１に流している期間が長ければ長い程、ＤＣＤＣコンバータ４０の出力電圧は高い。
制御部２４は、電圧検出部２５が検出した電圧が目標電圧となるように、スイッチ３０，３１夫々のオン／オフに係るデューティを調整する。
【００７８】
実施の形態２における変圧装置１０の動作は、実施の形態１における変圧装置１０の動作、具体的には図３に示す動作と同様である。実施の形態２における変圧装置１０の動作は、実施の形態１における変圧装置１０の動作と比較して、制御部２４がスイッチ３０，３１の相補的なオン／オフを繰り返すことによって降圧ではなく、昇圧を行っている点が異なる。
【００７９】
制御部２４がスイッチ３０，３１の相補的なオン／オフの繰り返しを実行するタイミングと、スイッチ２１，２２夫々をオン／オフするタイミングとは、図３と同様である。更に、ＤＣＤＣコンバータ４０の出力電圧は実施の形態１におけるＤＣＤＣコンバータ２０の出力電圧と同様に推移し、実施の形態２における第２蓄電器１４の出力電圧も実施の形態１における第２蓄電器１４の出力電圧と同様に推移する。
従って、実施の形態２における変圧装置１０は実施の形態１における変圧装置１０と同様の効果を奏する。
【００８０】
なお、目標電圧を電圧Ｖ２に設定した後、イグニッションスイッチがオフとなるまで目標電圧を電圧Ｖ２未満に設定しないようにしてもよい。一方で、目標電圧を電圧Ｖ１から、電圧Ｖ１よりも低い電圧への変更を指示する電圧変更指示が制御部２４に入力された場合に、目標電圧を電圧Ｖ１から電圧Ｖ２に変更した場合と同様に、スイッチ３０，３１，２１，２２夫々をオン／オフしてもよい。
また、ＤＣＤＣコンバータ４０は、入力端子Ｔ１，Ｔ２間に印加された電圧を昇圧する回路であればよいため、制御部２４がスイッチ３０，３１夫々の相補的なオン／オフを繰り返すことによって昇圧を行う回路に限定されない。ＤＣＤＣコンバータ４０は、例えば、スイッチ３１の代わりに、カソードがスイッチ２１，２２及びコンデンサＣ２夫々の一端に接続され、アノードがコイルＬ１の他端とスイッチ３０の一端とに接続されているダイオードを用いた回路であってもよい。この回路であっても、スイッチ３０のオン／オフを周期的に繰り返すことによって昇圧が行われる。
【００８１】
（実施の形態３）
図５は実施の形態３における変圧装置１０の回路図である。実施の形態３は、実施の形態１，２と比較して、変圧装置１０が、降圧用のＤＣＤＣコンバータ２０又は昇圧用のＤＣＤＣコンバータ４０の代わりに、昇降圧用のＤＣＤＣコンバータ５０を有している点が異なる。
以下では、実施の形態３について、実施の形態１，２と異なる点を説明する。後述する構成を除く他の構成については、実施の形態１又は実施の形態２と同様であるため、同様の符号を付してその説明を省略する。
【００８２】
ＤＣＤＣコンバータ５０は、スイッチ３０ａ，３１ａ，３０ｂ，３１ｂ、コンデンサＣ２及びコイルＬ１を有する。スイッチ３０ａの一端は入力端子Ｔ１に接続され、スイッチ３０ａの他端はスイッチ３１ａ及びコイルＬ１夫々の一端に接続されている。コイルＬ１の他端は、スイッチ３０ｂ，３１ｂ夫々の一端に接続され、スイッチ３１ｂの他端は、スイッチ２１，２２及びコンデンサＣ２夫々の一端に接続されている。スイッチ３１ａ，３０ｂ及びコンデンサＣ２夫々の他端は入力端子Ｔ２及び出力端子Ｔ４に接続されている。コンデンサＣ２の一端及び他端は電圧検出部２５に各別に接続されている。
【００８３】
スイッチ３０ａ，３１ａ，３０ｂ，３１ｂ夫々は、ＦＥＴ、バイポーラトランジスタ又はリレー接点等であり、制御部２４によってオン／オフされる。
実施の形態３では、制御部２４は、スイッチ３０ｂ，３１ｂ夫々をオフ及びオンにしている状態で、スイッチ３０ａ，３１ａを、実施の形態１におけるスイッチ３０，３１と同様にオン／オフする。これにより、ＤＣＤＣコンバータ５０は、実施の形態１におけるＤＣＤＣコンバータ２０と同様に降圧を行う。
【００８４】
更に、実施の形態３では、制御部２４は、スイッチ３０ａ，３１ａ夫々をオン及びオフしている状態で、スイッチ３０ｂ，３１ｂを、実施の形態２におけるスイッチ３０，３１と同様にオン／オフにする。これにより、ＤＣＤＣコンバータ５０は、実施の形態２におけるＤＣＤＣコンバータ４０と同様に昇圧を行う。
【００８５】
以上のように、ＤＣＤＣコンバータ５０は、制御部２４がスイッチ３０ａ，３１ａ，３０ｂ，３１ｂ夫々をオン／オフすることによって、入力端子Ｔ１，Ｔ２間に印加された電圧を目標電圧に昇降圧（変圧）する。ＤＣＤＣコンバータ５０は、スイッチ２１がオンである場合、目標電圧を出力端子Ｔ３，Ｔ４から第２蓄電器１４に向けて出力する。実施の形態３において、ＤＣＤＣコンバータ５０は変圧回路として機能する。
【００８６】
実施の形態３における変圧装置１０の動作は、実施の形態１における変圧装置１０の動作、具体的には図３に示す動作と同様である。実施の形態３における変圧装置１０の動作は、実施の形態１における変圧装置１０の動作と比較して、制御部２４がスイッチ３０ａ，３１ａの相補的なオン／オフ又はスイッチ３０ｂ，３１ｂの相補的なオン／オフを繰り返すことによって、降圧だけではなく、昇圧も行っている点が異なる。
【００８７】
ＤＣＤＣコンバータ５０が降圧を行っている場合は、制御部２４は、スイッチ３０ｂ，３１ｂ夫々をオフ及びオンにした状態で、スイッチ３０ａ，３１ａを図３に示すスイッチ３０，３１と同様にオン／オフする。ＤＣＤＣコンバータ５０が昇圧を行っている場合は、制御部２４は、スイッチ３０ａ，３１ａをオン及びオフにした状態で、スイッチ３０ｂ，３１ｂ夫々を図３に示すスイッチ３０，３１と同様にオン／オフする。
【００８８】
制御部２４がスイッチ３０ａ，３１ａの相補的なオン／オフの繰り返しを実行するタイミング、又は、スイッチ３０ｂ，３１ｂの相補的なオン／オフの繰り返しを実行するタイミングは図３と同様である。スイッチ２１，２２夫々をオン／オフするタイミングも、図３と同様である。また、ＤＣＤＣコンバータ５０の出力電圧は実施の形態１におけるＤＣＤＣコンバータ２０の出力電圧と同様に推移し、実施の形態３における第２蓄電器１４の出力電圧も実施の形態１における第２蓄電器１４の出力電圧と同様に推移する。
従って、実施の形態３における変圧装置１０は実施の形態１における変圧装置１０と同様の効果を奏する。
【００８９】
なお、目標電圧を電圧Ｖ２に設定した後、イグニッションスイッチがオフとなるまで目標電圧を電圧Ｖ２未満に設定しないようにしてもよい。一方で、目標電圧を電圧Ｖ１から、電圧Ｖ１よりも低い電圧に変更する電圧変更指示が制御部２４に入力された場合に、目標電圧を電圧Ｖ１から電圧Ｖ２に変更する場合と同様に、スイッチ３０ａ，３１ａ，３０ｂ，３１ｂ，２１，２２夫々をオン／オフしてもよい。
【００９０】
また、ＤＣＤＣコンバータ５０は、入力端子Ｔ１，Ｔ２間に印加された電圧を昇降圧する回路であればよいため、制御部２４がスイッチ３０ａ，３１ｂ夫々の相補的なオン／オフ、又は、スイッチ３０ｂ，３１ｂ夫々の相補的なオン／オフを繰り返すことによって、昇降圧を行う回路に限定されない。
【００９１】
ＤＣＤＣコンバータ５０は、例えば、スイッチ３１ａ，３１ｂ夫々の代わりにダイオードを用いた回路であってもよい。この回路であっても、スイッチ３０ｂをオフにした状態でスイッチ３０ａのオン／オフを繰り返すことによって降圧が行われ、スイッチ３０ａをオンにした状態で、スイッチ３０ｂのオン／オフを繰り返すことによって昇圧が行われる。
【００９２】
ここで、スイッチ３１ａの代わりに用いられるダイオードについては、カソードがスイッチ３０ａ及びコイルＬ１間の接続ノードに接続され、アノードが入力端子Ｔ２及び出力端子Ｔ４に接続される。スイッチ３１ｂの代わりに用いられるダイオードについては、カソードがスイッチ２１，２２及びコンデンサＣ２夫々の一端に接続され、アノードがコイルＬ１の他端とスイッチ３０ｂの一端とに接続される。
【００９３】
なお、実施の形態１〜３において、設定される目標電圧の数は２つに限定されず、１つ又は３つ以上であってもよい。また、スイッチ２１が接続される位置は、スイッチ３１ｂの他端と抵抗Ｒ１の一端との間に限定されず、例えば、コンデンサＣ１の他端と出力端子Ｔ４の間であってもよい。
また、変圧装置１０はスイッチ２２及びコンデンサＣ１を有しない構成であってもよい。この場合であっても、出力端子Ｔ３，Ｔ４から変圧装置１０の内部に電圧が入力されることが防止され、第２蓄電器１４が蓄えた電力が無駄に消費されることはなく、更に、安定した電圧が出力端子Ｔ３，Ｔ４から出力される。
【００９４】
また、変圧装置１０の構成は、目標電圧を変更した場合に制御部２４がスイッチ２１をオン／オフをせず、変圧を開始してから目標電圧を出力する期間にスイッチ２１をオン／オフする構成であってもよい。この場合であっても、変圧装置１０の内部に電圧が入力されることはない。
また、実施の形態１，２において、電圧検出部２５が検出した電圧に応じてスイッチ３０，３１の相補的なオン／オフを繰り返す構成と、実施の形態３において、電圧検出部２５が検出した電圧に応じてスイッチ３０ａ，３１ａの相補的なオン／オフ又はスイッチ３０ｂ，３１ｂの相補的なオン／オフを繰り返す構成とは、ソフトウェアの構成であってもよく、ハードウェアの構成であってもよい。
【００９５】
開示された実施の形態１〜３は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【００９６】
１０  変圧装置
２０，４０，５０  ＤＣＤＣコンバータ（変圧回路）
２１  スイッチ
２２  スイッチ（第２のスイッチ）
２４  制御部（オン手段、オフ手段、第２のオン手段、第２のオフ手段、第３のオン手段、第３のオフ手段、第４のオン手段、第４のオフ手段、変更手段、判定手段）
２５  電圧検出部（電圧検出手段）
Ｃ１  コンデンサ
Ｔ１，Ｔ２  入力端子（入力端子対）
Ｔ３，Ｔ４  出力端子（出力端子対）
【図１】
2015154613.tif 000003
【図２】
2015154613.tif 000004
【図３】
2015154613.tif 000005
【図４】
2015154613.tif 000006
【図５】
2015154613.tif 000007